(57)【要約】【課題】  フリーポール方式設置の隣接するグリッドフェンスを長期に安定して連結する継手金具を提供する。【解決手段】  継手金具２を、表裏一対の挟持板２１ａ、２１ｂを、その幅方向一端の上下中央位置で細帯状の屈曲連結帯２５によって屈曲自在に連結し且つ幅方向他端にそれぞれ前後に向けたコ字状の切欠き孔２８を有する端部閉塞板２７ａ、２７ｂを突設するとともに該表裏一対の幅方向中央位置の上下端に対向方向に向けて対向小突起２９を突出することによって、鋼板プレス加工一体に形成する。グリッドフェンス１の縦横の鋼線１１ａ、１１ｂの交点に継手金具２を宛がって、挟持板２１ａに設置したネジ透孔２３からのネジ３を他方の挟持板２１ｂのナット２４に螺入して交点を挟持するようにグリッドフェンス１の連結を行う。【選択図】  図８
2011132743.tif 000002
【特許請求の範囲】
【請求項１】
表裏片側一方にネジ透孔を、表裏片側他方にナットを配置した表裏一対の挟持板と、これら挟持板を幅方向一端の上下中央位置で屈曲自在に連結した細帯状の屈曲連結帯と、該屈曲連結帯の屈曲によって表裏一対の挟持板の幅方向他端を先端重合状に閉塞し且つ該閉塞時に上記屈曲連結帯の下位開放部位とともに前後中間位置で横線の貫通孔をなすようにそれぞれ前後に向けたコ字状の切欠き孔を配置した各挟持板の端部閉塞板と、上記表裏一対の挟持板の幅方向中央位置の上下端からそれぞれ対向方向に突出配置した間隔規制用の対向小突起を備えて、鋼板にプレス加工を施すことによって一体に形成してなることを特徴とするグリッドフェンス用継手金具。
【請求項２】
上記表裏一対の挟持板に、上記ネジ透孔又はナットを囲むように補強リブを配置してなることを特徴とする請求項１に記載のグリッドフェンス用継手金具。
【発明の詳細な説明】
【技術分野】
【０００１】
本発明は、フリーポール方式のグリッドフェンスにおける幅方向端部を連結する継手金具に関する。
【背景技術】
【０００２】
フリーポール方式のグリッドフェンスは、支柱の前面にグリッドフェンスを支持するため、該グリッドフェンスの幅方向端部同士を継手金具によって連結する必要があり、該継手金具は、例えば、表裏片側一方にネジ透孔を、表裏片側他方にナットを配置した表裏一対の挟持板と、該一対の挟持板の一方に配置し、幅方向中間部位を外側に膨出して縦線を受入れ自在とした縦線収納部と、該表裏一対の各挟持板の幅方向両端上下に配置した対向方向に向けて湾曲し横線に被嵌する端部被嵌突起とを備えた、それぞれ鋼板にプレス加工を施すことによって、表裏分離一対としたものとされ、該継手金具は、その表裏一対の挟持板を、グリッドフェンス端部の縦線と横線の交点に追っ付け状に宛がって、その一方のネジ透孔から他方のナットに対してネジを螺入し、上記縦線収納部に隣接するグリッドフェンスの縦線を受け入れるとともに上記端部被嵌突起によって該隣接するグリッドフェンスの上下一方又は双方の横線を被嵌支持するようにして、グリッドフェンスの幅方向端部同士を連結するものとされる。
【先行技術文献】
【特許文献】
【０００３】
【特許文献１】特開平１０−１７６４４１号公報
【発明の概要】
【発明が解決しようとする課題】
【０００４】
上記継手金具は、これを用いることによって、上記グリッドフェンスの幅方向端部同士を連結することができるが、この場合、連結後暫く経過すると、前後に段差を生じるように、或いは、上下に段差を生じるように、隣接するグリッドフェンスの端部が相互に位置ずれして、グリッドフェンスの連結が不十分になるという経時的な固定不良を招く傾向を生じ易い。
【０００５】
即ち、上記継手金具は、表裏一対の挟持板間に上記縦線と横線を挟んで、これに交差するネジによって挟持板を締着固定して一体化したものとされるところ、縦線と横線の交点は溶着されており、交点は縦線、横線の２倍の厚さを有しており、縦線、横線を挟持する部位との間で表裏間スペースに相違がある上、挟持板による縦線、横線乃至交点の接触は線接触乃至点接触となる上、グリッドフェンスは鋼線によって桝目格子状の面体を形成したものとされるため、その荷重によって、また、該グリッドフェンスが外力を受けることによってグリッドフェンス間に上記位置ずれとこれによるグリッドフェンスの固定不良を招くに至る。
【０００６】
本発明はかかる事情に鑑みてなされたもので、その解決課題とするところは、同じく鋼板にプレス加工を施すことによって可及的簡易に構成し得るとともに上記グリッドフェンスの荷重や外力によるグリッドフェンス端部間に生じる位置ずれを解消して、グリッドフェンスを長期に亘って確実且つ外観良く連結し得るようにしたグリッドフェンス用継手金具を提供するにある。
【課題を解決するための手段】
【０００７】
上記課題に沿って本発明は、表裏一対の挟持板を用いるも、その幅方向一端において連結することによって該表裏一対の挟持板を一体のものとするとともに表裏一対の挟持板の幅方向他端において隣接するグリッドフェンスの端部縦線を引寄状に抱持するように閉塞する挟持板毎の端部閉塞板を配置する一方、上記幅方向一端の連結を挟持板の上下中央位置において細帯状の屈曲連結帯によって行ってその下位を開放するとともに上記端部閉塞板にそれぞれコ字状の切欠孔を配置して、該端部閉塞板の閉塞状態において上記屈曲連結帯の下位との間で貫通する横線支持用の透孔を形成し且つ表裏一対の挟持板の幅方向中央位置上下に上記端部縦線間の間隔を規制する対向小突起を配置して、鋼板のプレス加工によって一体形成して、隣接するグリッドフェンス端部の縦線と横線の交点を、表裏一対の挟持板の片側を宛がって、表裏一対の挟持板を圧潰する如くに屈曲連結帯を屈曲して、端部閉塞板の先端を相互に重合し、表裏片側一方のネジ透孔から表裏片側他方のナットにネジを螺入し、上記横線支持用の透孔に横線を受け入れ支持するとともに該横線を屈曲連結帯の下位で該屈曲連結帯に対接し且つ屈曲連結帯及び端部閉塞板と対向小突起間に隣接するグリッドフェンスの端部縦線をそれぞれ挟持状に受入れるように表裏一対の挟持板を締着固定することによって、隣接するグリッドフェンスの連結を行うようにしたものであって、即ち、請求項１に記載の発明を、表裏片側一方にネジ透孔を、表裏片側他方にナットを配置した表裏一対の挟持板と、これら挟持板を幅方向一端の上下中央位置で屈曲自在に連結した細帯状の屈曲連結帯と、該屈曲連結帯の屈曲によって表裏一対の挟持板の幅方向他端を先端重合状に閉塞し且つ該閉塞時に上記屈曲連結帯の下位開放部位とともに前後中間位置で横線の貫通孔をなすようにそれぞれ前後に向けたコ字状の切欠き孔を配置した各挟持板の端部閉塞板と、上記表裏一対の挟持板の幅方向中央位置の上下端からそれぞれ対向方向に突出配置した間隔規制用の対向小突起を備えて、鋼板にプレス加工を施すことによって一体に形成してなることを特徴とするグリッドフェンス用継手金具としたものである。
【０００８】
請求項２に記載の発明は、上記表裏一対の挟持板を強度に優れたものとして、上記表裏一対の挟持板の締着固定を更に確実にして、隣接するグリッドフェンスの強固な連結をなし得るものとするように、これを、上記表裏一対の挟持板に、上記ネジ透孔又はナットを囲むように補強リブを配置してなることを特徴とする請求項１に記載のグリッドフェンス用継手金具としたものである。
【０００９】
本発明はこれらをそれぞれ発明の要旨として上記課題解決の手段としたものである。
【発明の効果】
【００１０】
本発明は以上のとおりに構成したから、請求項１に記載の発明は、表裏一対の挟持板を、その幅方向一端において連結することによって該表裏一対の挟持板を一体のものとするとともに表裏一対の挟持板の幅方向他端において隣接するグリッドフェンスの端部縦線を引寄状に抱持するように閉塞する挟持板毎の端部閉塞板を配置する一方、上記幅方向一端の連結を挟持板の上下中央位置において細帯状の屈曲連結帯によって行ってその下位を開放するとともに上記端部閉塞板にそれぞれコ字状の切欠孔を配置して、該端部閉塞板の閉塞状態において上記屈曲連結帯の下位との間で貫通する横線支持用の透孔を形成し且つ表裏一対の挟持板の幅方向中央位置上下に上記端部縦線間の間隔を規制する対向小突起を配置して、鋼板のプレス加工によって一体形成して、隣接するグリッドフェンス端部の縦線と横線の交点を、表裏一対の挟持板の片側を宛がって、表裏一対の挟持板を圧潰する如くに屈曲連結帯を屈曲して、端部閉塞板の先端を相互に重合し、表裏片側一方のネジ透孔から表裏片側他方のナットにネジを螺入し、上記横線支持用の透孔に横線を受け入れ支持するとともに該横線を屈曲連結帯の下位で該屈曲連結帯に対接し且つ屈曲連結帯及び端部閉塞板と対向小突起間に隣接するグリッドフェンスの端部縦線をそれぞれ挟持状に受入れるように表裏一対の挟持板を締着固定することによって、隣接するグリッドフェンスの連結を行うようにし、これによって、鋼板にプレス加工を施すことによって可及的簡易に構成し得るとともに上記グリッドフェンスの荷重や外力によるグリッドフェンス端部間に生じる位置ずれを解消して、グリッドフェンスを長期に亘って確実且つ外観良く連結し得るようにしたグリッドフェンス用継手金具を提供することができる。
【００１１】
請求項２に記載の発明は、上記表裏一対の挟持板を強度に優れたものとして、上記表裏一対の挟持板の締着固定を更に確実にして、隣接するグリッドフェンスの強固な連結をなし得るものとすることができる。
【図面の簡単な説明】
【００１２】
【図１】継手金具と横線、縦線の関係を示す斜視図である。
【図２】継手金具の正面図である。
【図３】継手金具の背面図である。
【図４】継手金具の屈曲連結帯側の側面図である。
【図５】継手金具の端部閉塞板側の側面図である。
【図６】継手金具の平面図である。
【図７】継手金具の底面図である。
【図８】グリッドフェンスの連結状態を示す正面図である。
【図９】グリッドフェンスの連結状態を示す背面図である。
【図１０】グリッドフェンスの連結状態を示す屈曲連結帯側の側面図である。
【図１１】グリッドフェンスの連結状態を示す端部閉塞板側の側面図である。
【図１２】グリッドフェンスの連結状態を示す平面図である。
【発明を実施するための形態】
【００１３】
以下図面の例に従って本発明を更に具体的に説明すれば、１はグリッドフェンスであり、該グリッドフェンス１は、常法に従って縦横の鋼線１１ａ、１１ｂをその交点で溶着して、図示省略の縦長の桝目格子状をなすように形成してあり、該グリッドフェンス１は、所定の間隔に起立設置した、同じく図示省略の支柱に、例えば支柱側からのフックボルトによって鋼線を支柱側に引寄せ固定することによって、フリーポール方式によって、道路や隣地との敷地を仕切るように支持してその配置を行ったものとしてある。
【００１４】
支柱に支持した隣接するグリッドフェンス１は、隣接側端部で、その長手方向に複数の継手金具２を用いて連結してあり、このとき該継手金具２は、表裏片側一方にネジ透孔２３を、表裏片側他方にナット２４を配置した表裏一対の挟持板２１ａ、２１ｂと、これら挟持板２１ａ、２１ｂを幅方向一端の上下中央位置で屈曲自在に連結した細帯状の屈曲連結帯２５と、該屈曲連結帯２５の屈曲によって表裏一対の挟持板２１ａ、２１ｂの幅方向他端を先端重合状に閉塞し且つ該閉塞時に上記屈曲連結帯２５の下位開放部位とともに前後中間位置で横線１１ａの貫通孔をなすようにそれぞれ前後に向けたコ字状の切欠き孔２８を配置した各挟持板２１ａ、２１ｂの端部閉塞板２７ａ、２７ｂと、上記表裏一対の挟持板２１ａ、２１ｂの幅方向中央位置の上下端からそれぞれ対向方向に突出配置した間隔規制用の対向小突起２９を備えて、鋼板にプレス加工を施すことによって一体に形成したものとしてある。
【００１５】
即ち、継手金具２は、本例にあって、表裏一対の挟持板２１ａ、２１ｂを縦横１〜２ｃｍ程度の幅とし、奥行きを１ｃｍ弱としたピース状の金具をなすように、ステンレス薄板に打ち抜き、穴あけ、曲げ等のプレス加工を施して一体に形成したものとしてあり、例えば、屈曲連結帯２５を半曲げすることによって、平面Ｖ字状をなす形態として、その工場出荷を行うようにしてある。
【００１６】
表裏一対の挟持板２１ａ、２１ｂは、その一方の中央位置に、例えば幅方向に長孔としたネジ透孔２３を、他方の中央位置にネジ径に合せたナット２４を配置して、ネジ３によって相互に引寄せ自在としてあり、本例にあって、上記表裏一対の挟持板２１ａ、２１ｂは、これに、上記ネジ透孔２３又はナット２４を囲むように補強リブ２２を配置したものとしてあり、本例にあって該補強リブ２２は、ネジ透孔２３側において横向きコ字状に、ナット２４側において平行して対向する２本の直線状にそれぞれ外側に隆起するように、これを設けたものとしてある。
【００１７】
屈曲連結帯２５は、表裏一対の挟持板２１ａ、２１ｂの幅方向一端の上下中央位置に、例えば、５ｍｍ程度の幅の細帯状に配置してあり、このとき該屈曲連結帯２５は、その一方の挟持板、本例にあってはネジ透孔２３を配置した側の挟持板２１ａ近傍に横長の透孔を配置することによって、該透孔配置部位の上下を、例えば、１〜２ｍｍ程度に部分的に細幅とすることによって、該細幅部位を、後述のグリッドフェンス連結に際して容易に屈曲し得るようにした屈曲部位としてある。
【００１８】
端部閉塞板２７ａ、２７ｂは、表裏一対の挟持板２１ａ、２１ｂの幅方向他端から、それぞれ屈曲連結帯２５の１／２程度の突出幅にして前後に向けた、即ち、前後の対向方向に向けた各コ字状の切欠き孔２８を配置した、挟持板２１ａ、２１ｂと同等高さの屈曲した突片によるものとしてあり、片側、本例にあっては上記ネジ透孔２３側の挟持板２１ａからの端部閉塞板２７ａの突出幅を２〜３ｍｍ程度長くするとともに該突出幅を長くした片側の端部閉塞板２７ａにおける挟持板２１ａからの突出位置を幅方向に僅かにずらすことによって、上記グリッドフェンス１連結に際して屈曲連結帯２５を屈曲したとき、表裏一対の挟持板２１ａ、２１ｂの先端が、上記突出幅を長くした幅分重なるとともに該先端の重なりが、相互に対接して納まりよく外観良好になされるようにしてある。
【００１９】
対向小突起２９は、上記表裏一対の挟持板２１ａ、２１ｂの上下各端縁からそれぞれ他方の挟持板２１ｂ、２１ａ側に向けて屈曲して突出配置してあり、その幅を２〜３ｍｍ、突出長さを５ｍｍ程度として、上記グリッドフェンス１連結に際して屈曲連結帯２５を屈曲したとき、先端が相互に近接して位置するようにしてある。
【００２０】
このように形成した継手金具２による隣接するグリッドフェンス１の連結は、該継手金具２における表裏一対の挟持板２１ａ、２１ｂが半開きの平面Ｖ字状をなして、端部閉塞板２７ａ、２７ｂ間に開口が形成されているから、該開口を用いて、隣接するグリッドフェンス１一方の端部側に位置する桝目から、片側の挟持板、本例にあっては裏側の挟持板２１ｂを差し入れて、表裏一対の挟持板２１ａ、２１ｂ間にグリッドフェンス１の端部の交点を位置し且つグリッドフェンス１他方の端部側に位置する桝目に双方の端部閉塞板２７を位置するように配置して該端部の交点に、これを受入れるように宛がった上、表裏一対の挟持板２１ａ、２１ｂを対向方向に押圧してこれらを連結している屈曲連結帯２５を強制的に屈曲して、端部閉塞板２７ａ、２７ｂの先端を相互に重合し、これら表裏一対の一方の挟持板２１ａのネジ透孔２３から他方の挟持板２１ｂのナット２４にネジ３を螺入してこれら挟持板２１ａ、２１ｂを相互に引き寄せて、該ネジ３又は指補助を加えて上記屈曲連結帯２５を完全に屈曲するようにネジ３で締着することによって、これを行うものとしてある。
【００２１】
このように継手金具２による隣接するグリッドフェンス１の連結によって、縦横の鋼線１１ａ、１１ｂの端部位置の交点、即ち、正背面Ｌ字状をなす交点は、表裏一対の挟持板２１ａ、２１ｂの内側にあって、グリッドフェンス１一方の横線１１ａを屈曲連結帯２５の上下片側から該屈曲連結帯２５に対接した状態で突出し、また、グリッドフェンス１他方の横線１１ａを、先端を重合することによって形成される端部閉塞板２７ａ、２７ｂの上記コ字状の切欠き孔２８による矩形の透孔に、同じく上下の透孔縁部に対接して貫通して突出する一方、隣接するグリッドフェンス１双方の縦線１１ｂ間に表裏片側一方の対向小突起２９を、該縦線１１ｂの間隔を該対向小突起２９の幅に規制するようにそれぞれに対接して介設するに至り、この状態で上記表裏一対の挟持板をネジ３によって上記挟持板２１ａ、２１ｂを引寄せ状に締着固定することによってグリッドフェンス１双方の交点とその縦横の鋼線１１ａ、１１ｂが該継手金具２によって確実に保持される結果、グリッドフェンス１の荷重や外力による隣接するグリッドフェンス１の前後乃至上下のずれの可能性を解消し、長期に亘って安定した固定不良のない連結を行うことができるとともに双方の縦線１１ｂは、上記対向小突起２９の２〜３ｍｍの幅の間隔に規制して連結されるために、グリッドフェンス１双方が近接した納まりを呈する良好な外観を呈するものとなし得る。
【００２２】
図示した例は以上のとおりとしたが、継手金具の配置をグリッドフェンスの配置形態に合せるようにすれば、該グリッドフェンスの配置形態の如何を問わずにその連結が可能であるから、例えば、傾斜地に設置したグリッドフェンスの連結を傾斜状態で行い、グリッドフェンスの連結を湾曲した胴縁付近で行うようにすることができ、また、上記対向小突起は、その先端が近接して対向するとともに該対向小突起以外に表裏一対の挟持板間を仕切るものがないことによって、該継手金具は、グリッドフェンスの連結を表裏逆に行うことができ、従って、グリッドフェンス１設置位置が隣地に近接して、その外側からのネジの締着が困難な場所でも、敷地の内側から継手金具を設置してそのネジの締着とこれによるグリッドフェンスの連結を行うことができる。
【００２３】
これらを含めて、本発明の実施に当って、表裏一対の挟持板、屈曲連結帯、端部閉塞板、その切欠き孔、対向小突起、必要に応じて用いる補強リブ等の各具体的形状、構造、材質、これらの関係、これらに対する付加等は、上記発明の要旨に反しない限り様々な形態のものとすることができる。
【符号の説明】
【００２４】
１  グリッドフェンス
１１ａ  鋼線（横線）
１１ｂ  鋼線（縦線）
２  継手金具
２１ａ  挟持板
２１ｂ  挟持板
２２  補強リブ
２３  ネジ透孔
２４  ナット
２５  屈曲連結帯
２６  透孔
２７ａ  端部閉塞板
２７ｂ  端部閉塞板
２８  切欠き孔
２９  対向小突起
３  ネジ
【図１】
2011132743.tif 000003
【図２】
2011132743.tif 000004
【図３】
2011132743.tif 000005
【図４】
2011132743.tif 000006
【図５】
2011132743.tif 000007
【図６】
2011132743.tif 000008
【図７】
2011132743.tif 000009
【図８】
2011132743.tif 000010
【図９】
2011132743.tif 000011
【図１０】
2011132743.tif 000012
【図１１】
2011132743.tif 000013
【図１２】
2011132743.tif 000014